(57)【要約】【課題】機器の使用態様に合った視野角とコントラスト調整を行う。【解決手段】システムコントローラ１２は、ユーザによる機器設定やレンズカバー１３１の開閉状態に応じてモードを判別し、オーディオモードであるときには、オーディオモードにおける最適視野角を得るためのＶｃｏｍ電圧値及び液晶パネルを制御するための他のパラメータを設定し、カメラモードであったときには、更にクレードル上に設置されているか判別する。クレードルに設置されている場合は、画像表示状態であっても、オーディオモードにおける最適視野角を得るためのＶｃｏｍ電圧値及び液晶パネルを制御するための他のパラメータを設定する。一方、クレードルに設置されていない場合、カメラモードにおける最適視野角を得るためのＶｃｏｍ電圧値及び液晶パネルを制御するための他のパラメータをパラメータメモリ１０７から読み出し、液晶パネルの視野角特性をカメラモードにする。【選択図】図９
2006162707.tif 000002
【特許請求の範囲】
【請求項１】
複数の走査線及び該走査線と交差して設けられた複数の信号線を有し上記複数の走査線と上記複数の信号線との交差部分に画素電極と共通電極と液晶層とを有する画素容量が形成された液晶表示装置において、
上記共通電極に共通電極電圧を供給する共通電圧調整手段と、
所定の視野角分布を得るための共通電極電圧値を生成するためのパラメータを視野角毎に記憶する記憶手段と、
上記記憶手段に記憶されたパラメータを選択して上記共通電圧調整手段で生成される共通電極電圧を制御する制御手段と
を備えることを特徴とする液晶表示装置。
【請求項２】
複数の走査線及び該走査線と交差して設けられた複数の信号線を有し上記複数の走査線と上記複数の信号線との交差部分に画素電極と共通電極と液晶層とを有する画素容量が形成された液晶表示装置の駆動方法において、
上記共通電極に共通電極電圧を供給する共通電圧調整ステップと、
所定の視野角分布を得るための共通電極電圧値を生成するためのパラメータを視野角毎に記憶したメモリから必要なパラメータを選択して共通電圧調整ステップにおいて生成される共通電極電圧を制御するステップと
を有することを特徴とする液晶駆動方法。
【請求項３】
フォーマットが異なる複数のコンテンツデータを記録媒体から読み出す及び／又は記録媒体に書き込むことが可能なデータ記録再生装置において、
上記記録媒体からデータを再生する再生手段と、
使用者によって再生すべきコンテンツデータが選択される操作入力手段と、
再生されたコンテンツデータを表示する液晶表示手段とを備え、
上記液晶表示手段は、複数の走査線及び該走査線と交差して設けられた複数の信号線を有し上記複数の走査線と上記複数の信号線との交差部分に画素電極と共通電極と液晶層とを有する画素容量が形成され、共通電極に共通電極電圧を供給する共通電圧調整手段と、所定の視野角分布を得るための共通電極電圧値を生成するためのパラメータを視野角毎に記憶する記憶手段と、記憶手段に記憶されたパラメータを選択して上記共通電圧調整手段で生成される共通電極電圧を制御する制御手段とを備え、上記操作入力手段を介して選択された再生すべきコンテンツデータに応じて上記液晶表示手段における視野角を変更することを特徴とするデータ記録再生装置。
【発明の詳細な説明】
【技術分野】
【０００１】
本発明は、液晶表示装置及びその駆動方法に関し、特に使用態様に応じて視野角特性を変更できる液晶表示装置及び液晶駆動方法に関する。また、この液晶表示装置を備えるデータ記録再生装置に関する。
【背景技術】
【０００２】
液晶ディスプレイ（Liquid Crystal Display）は、ＣＲＴ（Cathode Ray Tube）等に比べて、視野角が狭く、特にあるディスプレイ平面のある一方向（上下方向等）の視野角が狭い点が技術的課題となっていた。しかし、液晶ディスプレイに関するこの課題は、例えば、特許文献１に示す技術によって改良され、更に、特許文献２等の技術により解決され、ＬＣＤは、携帯型電話機、携帯型情報処理端末等の電子機器の表示部として需要が拡大しつつある。
【０００３】
一方、いわゆるインターネットの発達や、大容量記録媒体の発達に伴って、静止画像データ、動画像データ、オーディオデータ、コンピュータ用途のデータ等、データ種類が多様化していることで、携帯型電話機、携帯型情報処理端末等の機器は、より多くのフォーマットのコンテンツデータに対応できることが好ましい。例えば、パーソナルコンピュータのように高性能な機器でない携帯型電話機であっても、オーディオデータを再生するとともにＣＣＤカメラ等により画像を取得できるものがある。
【０００４】
【特許文献１】特開平６−１９４６５５号公報
【特許文献２】特開２００４−１９１５８１号公報
【発明の開示】
【発明が解決しようとする課題】
【０００５】
上述した技術によって液晶ディスプレイの視野角特性の向上が達成されつつあるが、これを表示部として用いる電子機器は多様化しており、用途に応じて使用態様が異なる場合がある。例えば、電子機器において再生するコンテンツデータが異なる場合、或いは電子機器の機能の違いによってユーザの持ち方や操作方法が異なる場合などである。このとき、液晶ディスプレイの画面垂線とユーザの視線のなす角が必ずしも一致しないため、画面垂線に対する視野角を広視野角に調整したとしても、用途によっては、ユーザに最適な視野領域を提供するものになっていないという問題点があった。
【０００６】
そこで本発明は、再生されるコンテンツデータの種類によって機器の使用態様が異なるような電子機器において、使用態様に応じて表示部の視角特性を切り換えることによって、視野角調整のための複雑な物理的構成を用いることなく、使用態様に合った視野角とコントラスト調整が可能な液晶表示装置及び液晶駆動方法、並びにこのような液晶表示装置を備えるデータ記録再生装置を提供することを目的とする。
【課題を解決するための手段】
【０００７】
本発明に係る液晶表示装置は、複数の走査線及び該走査線と交差して設けられた複数の信号線を有し上記複数の走査線と上記複数の信号線との交差部分に画素電極と共通電極と液晶層とを有する画素容量が形成された液晶表示装置において、共通電極に共通電極電圧を供給する共通電圧調整手段と、所定の視野角分布を得るための共通電極電圧値を生成するためのパラメータを視野角毎に記憶する記憶手段と、記憶手段に記憶されたパラメータを選択して共通電圧調整手段で生成される共通電極電圧を制御する制御手段とを備えることにより、上述した目的を達成する。
【０００８】
また、本発明に係る液晶駆動方法は、複数の走査線及び該走査線と交差して設けられた複数の信号線を有し複数の走査線と複数の信号線との交差部分に画素電極と共通電極と液晶層とを有する画素容量が形成された液晶表示装置の駆動方法において、共通電極に共通電極電圧を供給する共通電圧調整ステップと、所定の視野角分布を得るための共通電極電圧値を生成するためのパラメータを視野角毎に記憶したメモリから必要なパラメータを選択して共通電圧調整ステップにおいて生成される共通電極電圧を制御するステップとを有することを特徴とする。
【０００９】
更にまた、本発明に係るデータ記録再生装置は、フォーマットが異なる複数のコンテンツデータを記録媒体から読み出す及び／又は記録媒体に書き込むことが可能なデータ記録再生装置において、記録媒体からデータを再生する再生手段と、使用者によって再生すべきコンテンツデータが選択される操作入力手段と、再生されたコンテンツデータを表示する液晶表示手段とを備え、液晶表示手段は、複数の走査線及び該走査線と交差して設けられた複数の信号線を有し複数の走査線と複数の信号線との交差部分に画素電極と共通電極と液晶層とを有する画素容量が形成され、共通電極に共通電極電圧を供給する共通電圧調整手段と、所定の視野角分布を得るための共通電極電圧値を生成するためのパラメータを視野角毎に記憶する記憶手段と、記憶手段に記憶されたパラメータを選択して共通電圧調整手段で生成される共通電極電圧を制御する制御手段とを備え、操作入力手段を介して選択された再生すべきコンテンツデータに応じて液晶表示手段における視野角を変更することにより、上述した目的を達成する。
【発明の効果】
【００１０】
本発明によれば、再生されるコンテンツデータの種類によって機器の使用態様が異なるような電子機器において、使用態様に応じて表示部の視角特性を切り換えることによって、視野角調整のための複雑な物理的構成を用いることなく、使用態様に合った視野角とコントラストを提供することができる。
【発明を実施するための最良の形態】
【００１１】
本発明の具体例として示す液晶表示装置について、図面を参照して詳細に説明する。この液晶表示装置１００は、機能的には画像を表示する液晶表示部と液晶駆動部とに分かれる。液晶表示部は、例えば、ＴＦＴ方式による液晶パネル１０１であり、液晶パネル１０１には、図示しない液晶表示素子と、後述する対向電極１０２とが設けられている。液晶駆動部は、信号線駆動部としてのソースドライバ１０３と、走査線駆動部としてのゲートドライバ１０４と、液晶駆動電源１０５と、コントローラ１０６とを備えている。
【００１２】
また、本発明の具体例として示す液晶表示装置１００は、液晶表示面と使用者との位置関係が変化する機器の使用態様に応じて、液晶表示部の視野角を最適に調整する液晶制御のためのパラメータを記憶したパラメータメモリ１０７を備えている点が特徴である。
【００１３】
ソースドライバ１０３は、ＩＣからなる複数のソースドライバ１０３部を備え、ゲートドライバ１０４は、同様にＩＣからなる複数のゲートドライバ部を備えている。
【００１４】
ソースドライバ１０３及びゲートドライバ１０４は、一般的には、配線が形成されたフィルム上に先のＩＣチップを搭載した、例えばＴＣＰ（Tape Carrier Package）からなり、このＴＣＰが液晶パネル１０１のＩＴＯ（Indium Tin Oxide：インジウム−スズ酸化膜）端子上に実装され、液晶パネル１０１と接続されている。また、上述したＩＣチップをＡＣＦ（Anisotropic Conductive Film：異方性導電膜）を介して直接、液晶パネル１０１のＩＴＯ端子に熱圧着して実装され、液晶パネル１０１と接続された構成となっている。
【００１５】
コントローラ１０６は、ソースドライバ１０３に表示データＤ及び制御信号（スタートパルスＳＰ等）を入力する一方で、ゲートドライバ１０４には垂直同期信号ＶＳを入力する。さらに、ソースドライバ１０３及びゲートドライバ１０４に水平同期信号ＬＳを入力する。
【００１６】
液晶パネル１０１には、画素電極１１１、画素容量１１２、画素電極１１１への電圧印加をオン・オフ制御するＴＦＴ１１３、ソースライン（信号線）１１４、ゲートライン（走査線）１１５及び対向電極（共通電極ともいう。）１１６が設けられている。１画素分の液晶表示素子１１０は、画素電極１１１、画素容量１１２及びＴＦＴ１１３から構成されている。
【００１７】
対向電極１０２は、図１に示すように、ｎ本（ｎは正の整数）のゲートラインがｋ本毎に異なるグループとして振り分けられている。また、隣り合う複数本のゲートライン毎にグループ分けされている。これら各グループの対向電極１０２には、ソースドライバ１０３に内蔵されたＶｃｏｍ調整回路１１６よりそれぞれ独立に対向電極電圧Ｃが与えられる。
【００１８】
例えば、液晶パネル１０１の全ての対向電極１０２が、グループＧ１、グループＧ２及びグループＧ３にグループ分けされている場合、Ｖｃｏｍ調整回路１１６からは、これらＧ１〜Ｇ３グループの対向電極１０２に対して、それぞれ対向電極電圧Ｃ１，Ｃ２，Ｃ３が与えられる。
【００１９】
上記の構成において、液晶表示装置１００における表示動作について説明する。外部から入力された表示データは、コントローラを介してデジタル信号である表示データＤとしてソースドライバ１０３に入力される。ソースドライバ１０３は、入力された表示データＤを時分割して各ソースドライバにラッチし、その後、コントローラ１０６から入力される水平同期信号ＬＳに同期してＤＡ変換する。そして、時分割された表示データＤをＤＡ変換して成る階調表示用のアナログ電圧（以下、階調電圧と称する）を、ソースライン１１４を介して、液晶パネル１０１の対応する液晶表示素子に出力する。
【００２０】
ソースライン１１４には、ソースドライバ１０３から、表示対象画素の明るさに応じた階調電圧が与えられる。一方、ゲートライン１１５には、ゲートドライバ１０４から列方向に並んでＴＦＴ１１３を順次オンするような走査信号が与えられる。そして、オン状態のＴＦＴ１１３を介して、ＴＦＴ１１３のドレインに接続された対向電極１０２にソースライン１１４の階調電圧が印加され、対向電極１０２と画素電極１１１との間の画素容量１１２に蓄積される。これにより、階調電圧に応じて液晶の光透過率を変化させ、画素表示が行なわれる。
【００２１】
また、本具体例では、ソースドライバ１０３に内蔵されたＶｃｏｍ調整回路１１６より、第１グループＧ１、第２グループＧ２及び第３グループＧ３の３組の対向電極１０２にそれぞれ対向電極電圧Ｃ１，Ｃ２，Ｃ３が与えられる。
【００２２】
液晶表示装置１００は、液晶層に印加する電圧をアナログ電圧として変化させることによって、液晶の光透過率をアナログ的に変化させて多階調表示を実現している。更に、液晶表示装置１００は、上述したように、対向電極１０２を複数のグループＧ１、Ｇ２、Ｇ３・・・に分割し、ソースドライバ１０３が備えるＶｃｏｍ調整回路１１６から上記各グループの対向電極１０２に対して異なる対向電極電圧Ｃ１，Ｃ２，Ｃ３、・・・を印加する構成となっている。これにより、各視角において最適視野が得られるように輝度特性を変化させることができる。また、視角の違いによって生じる色変化も補正できる。ここで「視角」とは、表示画面の法線に対する視線のなす角度である。
【００２３】
図２は、各ソースドライバ部１１が備えるＶｃｏｍ調整回路１１６の構成例を示す図である。このＶｃｏｍ調整回路１１６は、電圧降下を発生させるための１つの抵抗素子Ｒと、２個の定電流源１１７，１１８と、バッファアンプ１１９とを備えている。このＶｃｏｍ調整回路１１６では、抵抗素子Ｒに電流を流すことによる電圧降下を利用し、入力された電圧を一定の電圧だけ上下にシフトすることによってＶｃｏｍ電圧を調整する。このような構成を有するＶｃｏｍ調整回路１１６は次のように動作する。
【００２４】
Ｖｃｏｍ調整回路１１６の入力端子１２０には、例えば基準となる電圧Ｖｒｅｆが供給される。そして、基準電圧Ｖｒｅｆよりも高い出力電圧あるいは低い出力電圧を得る場合には、定電流源１１７，１１８によって抵抗素子Ｒに流れる電流を変化させ、抵抗素子Ｒによる電圧降下を利用して、入力された電圧を抵抗素子Ｒでの電圧降下の分だけ上または下にシフトした電圧ＶｏｕｔをＶｃｏｍとして出力端子１２１から出力する。
【００２５】
即ち、Ｖｃｏｍ調整回路１１６は、基準電圧Ｖｒｅｆよりも高い出力電圧Ｖｏｕｔを得る場合には、Ｖｏｕｔ＝Ｖｒｅｆ＋ｉ・Ｒになるように、また、基準電圧Ｖｒｅｆよりも低い出力電圧Ｖｏｕｔを得る場合には、Ｖｏｕｔ＝Ｖｒｅｆ−ｉ・Ｒになるように電圧を調整する。
【００２６】
上記基準電圧Ｖｒｅｆよりも高い出力電圧Ｖｏｕｔを得る場合、および基準電圧Ｖｒｅｆよりも低い出力電圧Ｖｏｕｔを得る場合に、定電流源１１７，１１８の動作によって抵抗素子Ｒを流れる電流が変化した状態を示す。
【００２７】
抵抗素子Ｒよりも入力端子１２０側にある定電流源１１７を接地し、出力端子１２１側にある定電流源１１８を電源に接続することによって、抵抗素子Ｒには定電流源１１８から定電流源１１７に向う正の向きの電流ｉが流れる。その結果、入力端子１２０から基準電圧Ｖｒｅｆが入力された場合の出力端子１２１からの出力電圧Ｖｏｕｔは、基準電圧Ｖｒｅｆよりも抵抗素子Ｒでの電圧降下の分だけ高いＶｏｕｔ＝Ｖｒｅｆ＋ｉ・Ｒとなる。
【００２８】
一方、定電流源１１７を電源に接続し、定電流源１１８を接地することによって、抵抗素子Ｒには定電流源１１７から定電流源１１８に向う負の向きの電流ｉが流れる。その結果、入力端子１２０から基準電圧Ｖｒｅｆが入力された場合の出力端子１２１からの出力電圧Ｖｏｕｔは、基準電圧Ｖｒｅｆよりも抵抗素子Ｒでの電圧降下の分だけ低いＶｏｕｔ＝Ｖｒｅｆ−ｉ・Ｒとなる。
【００２９】
各Ｖｃｏｍ調整回路１１６では、定電流源１１７，１１８において電流値を複数値に切り換え可能であり、さらに接地と電源への接続とを切り換え可能である。したがって、上記の各切り換えを上記の調整データ（ＤＬ）に基づいて制御することにより、対向電極電圧を微調整することができる。
【００３０】
上述したように、液晶パネルの視野角は、液晶に印加される印加電圧の大きさによって変化し、液晶に印加する電圧を変化させると液晶分子の傾斜角度が変化し、傾斜角度によって明るさが決まる。このように、液晶は、印加される駆動電圧の大きさにしたがって、最大の明るさになる角度を変更することができる。
【００３１】
図３は、液晶表示装置１００において視野角分布を互いに異なる所定の状態に調整した場合を説明する図である。階調電圧の分布を適切に調整すれば、液晶表示装置１００は、例えば図３（ａ）に示すような視野角を有するようにもでき、図３（ｂ）に示すような視野角を有するようにもできる。図３（ａ）は、画面を閲覧する者が画面に垂直方向（Ｚ軸）に対して視角φをなす視線（視軸）からみたとき画面が鮮明にみえていることを示し、図３（ｂ）は、画面に垂直方向（Ｚ軸）に対して視角−ρをなす視線（視軸）からみたとき画面が鮮明にみえていることを示す。液晶表示装置１００は、このように複数の視角に対して最適視野角となるＶｃｏｍ値及び液晶パネルを制御するための各種パラメータをパラメータメモリ１０７に格納している。
【００３２】
表示部を備える電子機器は、一般的になっているが、電子機器の特性及び使用態様に応じて画面と使用者の視線とが必ずしも画面垂線と重ならないことを考慮すると、上述したように階調電圧を調整することによって画面垂直方向（Ｚ軸）に対してある視角をなす視線方向に合わせて最適視野角を調整できるということは、この液晶表示装置１００を電子機器等に備えたとき、非常に有益である。
【００３３】
以下では、本発明の具体例として示す液晶表示装置１００を電子機器に適用した例について図面を用いて説明する。
【００３４】
ここで電子機器として、ディスク状の光磁気記録媒体の一例としてミニディスク（登録商標）方式の記録媒体に対して、オーディオデータ、映像データ、コンピュータ用のデータ（以下、ＰＣデータという。）等を含むコンテンツデータを記録再生可能なコンテンツ記録再生装置をあげる。
【００３５】
本発明を適用した図４に示すコンテンツ記録再生装置１は、カメラとしての構成とオーディオ記録再生装置としての機能を備え、撮像した画像データを上述のミニディスクに記録したり、また再生したり、ミニディスクにオーディオデータを記録したり再生したりできる。このコンテンツ再生装置によって再生可能なミニディスクは、例えば、オーディオデータ、映像データ、ＰＣデータ等のように異なるフォーマットで作成された異なるデータを扱うことができ、認証によって使用可能となる秘匿領域と、認証することなく使用可能な通常記録領域とを有する。秘匿領域は、著作権が発生する音楽コンテンツ、映像コンテンツ等の特定のデータのみが記録できる領域であり、本具体例では、ＡＴＲＡＣ（Adaptive TRansform Acoustic Coding）方式、ＡＴＲＡＣ３方式、ＡＴＲＡＣ３ｐｌｕｓ方式等のＡＴＲＡＣ（登録商標）ファミリ形式のオーディオデータは、この秘匿領域に記録可能な特定データとして扱われる。ＭＰ３（MPEG1 Audio Layer-3）形式、ＷＭＡ（Windows（登録商標） Media Audio）形式等、ＡＴＲＡＣ以外のオーディオデータ、画像データ、テキストデータ等のデータは、通常記録領域に記録される。
【００３６】
図４に示すコンテンツ記録再生装置１は、データ記録再生制御部２と画像処理部３とを備えている。データ記録再生制御部２は、ミニディスク９０に対して記録再生を行う記録再生部４と、オーディオデータを入力するオーディオデータ入力部５と、オーディオデータを外部に出力するオーディオデータ出力部６と、オーディオデータに対して所定の圧縮伸長処理を施すオーディオデータ処理部７と、情報処理機器にデータを送受するための外部インターフェイス部８と、入力操作部９と、メモリ転送コントローラ１０と、補助メモリとしてのキャッシュメモリ１１と、システムコントローラ１２とを備えている。
【００３７】
画像処理部３は、ＣＣＤ（Charge Coupled Device）、レンズ部等で構成される画像取得部１３と、取得した画像データの一時格納場所としてのカメラデータバッファメモリ１４と、画像データに所定の圧縮伸長処理を施す画像データ処理部１５と、画像処理部３を統括する画像データ制御部１６とを備えている。
【００３８】
また、表示部ドライバ２１と、ＬＣＤパネル２２を有する液晶表示装置１００を表示部として備えている。図４の表示部ドライバ２１は、図１のソースドライバ１０３、ゲートドライバ１０４、液晶駆動電源１０５、コントローラ１０６に相当し、ＬＣＤパネル２２は、液晶パネル１０１に相当する。
【００３９】
また、コンテンツ記録再生装置１は、データ記録再生制御部２の外部インターフェイス部８として、ＵＳＢハブ１７，ＵＳＢインターフェイス１８及び１９を備えている。コンテンツ記録再生装置１は、外部インターフェイス部８によりクレードル８０に接続される。またコンテンツ記録再生装置１は、クレードル８０を介して、又は直接パーソナルコンピュータ（以下、ＰＣという。）８１と接続することができる。
【００４０】
コンテンツ記録再生装置１は、上述した構成を備え、異なるフォーマットで作成された各種コンテンツデータを記録可能なミニディスク９０を記録媒体として用いることにより、オーディオデータを記録できるほか、画像データを取得してミニディスク９０に記録することができる。また、外部インターフェイス部８を介してＰＣ等の情報処理機器と接続可能としたことで情報処理機器の外部ストレージとしても使用できる。
【００４１】
以下、図１に示す各構成について具体的に説明する。コンテンツ記録再生装置１においてメモリ転送コントローラ１０は、ミニディスク９０に記録されたフォーマットが異なる複数のコンテンツデータのうち記録再生部４で読み出された再生データ又は記録再生部４に供給する記録データの送受制御を行う。メモリ転送コントローラ１０は、入力操作部９を介してユーザに指示されたコンテンツデータをミニディスク９０から読み出しキャッシュメモリ１１に一時的に格納する制御を行う。
【００４２】
キャッシュメモリ１１は、記録再生部４によってミニディスク９０のデータトラックから高密度データクラスタ単位で読み出されたデータを上述したメモリ転送コントローラ１０の制御に基づいて一時的に格納するメモリである。キャッシュメモリ１１は、記録再生部４によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１０の制御に基づいて記憶する。
【００４３】
システムコントローラ１２は、例えば、ミニディスク９０が記録再生部４に装填されると、ミニディスク９０の管理情報記録領域から管理情報等を読み出すよう記録再生部４に指示し、読み出されたＰＴＯＣ、ＵＴＯＣ等の管理情報等をメモリ転送コントローラ１０によってキャッシュメモリ１１に格納させる。また、システムコントローラ１２は、これらの管理情報を読み込むことによって、ミニディスク９０のトラック記録状態を把握している。また、システムコントローラ１２は、ＵＳＢインターフェイス１９、ＵＳＢハブ１７を介して接続されたＰＣ８１との間で通信可能である。システムコントローラ１２は、このＰＣ８１との間の通信制御を行って、ＰＣ８１からの書込要求、読出要求等のコマンドの受信、ＰＣ８１へのステイタス情報、その他の必要情報の送信等を行う。
【００４４】
システムコントローラ１２は、ＰＣ８１から、あるＦＡＴセクタの読出要求があった場合、記録再生部４に対して、読み出しを要求されたＦＡＴセクタを含むデータクラスタの読出を実行する旨の制御信号を与える。記録再生部４によって読み出されたデータクラスタは、メモリ転送コントローラ１０によってキャッシュメモリ１１に書き込まれる。但し、既にＦＡＴセクタのデータがキャッシュメモリ１１に格納されていた場合、記録再生部４による読出は必要ない。このとき、システムコントローラ１２は、キャッシュメモリ１１に書き込まれている高密度データクラスタのデータから、要求されたＦＡＴセクタのデータを読み出す制御信号を与え、ＵＳＢインターフェイス１９、ＵＳＢハブ１７を介して、ＰＣ８１に送信するための制御を行う。
【００４５】
また、システムコントローラ１２は、ＰＣ８１から、あるＦＡＴセクタの書込要求があった場合、記録再生部４に対して、書き込みが要求されたＦＡＴセクタを含むデータクラスタの読出を実行させる。読み出されたデータクラスタは、メモリ転送コントローラ１０によってキャッシュメモリ１１に書き込まれる。但し、既にこのＦＡＴセクタのデータがキャッシュメモリ１１に格納されていた場合は、記録再生部４による読出は必要ない。また、システムコントローラ１２は、ＰＣ８１から送信されたＦＡＴセクタの記録データを、ＵＳＢインターフェイス１９を介してメモリ転送コントローラ１０に供給し、キャッシュメモリ１１上で該当するＦＡＴセクタのデータの書き換えを実行させる。更にシステムコントローラ１２は、メモリ転送コントローラ１０に指示して、必要なＦＡＴセクタが書き換えられた状態でキャッシュメモリ１１に記憶されているデータクラスタのデータを記録データとして記録再生部４に転送させる。このとき、記録再生部４は、装着されている記録媒体であるミニディスクが対応している変調方式でデータクラスタの記録データを変調して書き込む。
【００４６】
なお、上述した記録再生制御は、データトラックを記録再生する際の制御であり、オーディオトラックに記録再生されるＭＤオーディオデータを記録再生する際のデータ転送は、オーディオデータ処理部７を介して行われる。
【００４７】
また、画像取得部１３で取得された画像データは、画像データ制御部１６、システムコントローラ１９を介してミニディスク９０に記録される。ミニディスク９０に記録される画像データは画像データ処理部１５によって所定の画像エンコードを施されデータ圧縮される。ミニディスク９０から読み出された画像データは、表示部１５において再生される。ミニディスク９０から再生された画像データは画像データ処理部１５において復号されデータ伸長処理される。また、コンテンツ記録再生装置１は、画像データ制御部１６に対して画像データが外部から入力される入力端子や外部へ画像データが出力される出力端子を備えるように構成されていてもよい。
【００４８】
コンテンツ記録再生装置１のほかの構成として、オーディオデータ処理部７に対する入力系としてオーディオデータ入力部５は、例えば、ライン入力回路／マイクロフォン入力回路等のアナログオーディオ信号入力部、Ａ／Ｄ変換器、及びデジタルオーディオデータ入力部を備える。また、オーディオデータ処理部１９は、ＡＴＲＡＣ圧縮エンコーダ／デコーダ、圧縮データのバッファメモリを備える。更に、オーディオデータ処理部７に対する出力系としてオーディオ出力部６は、例えばデジタルオーディオデータ出力部、Ｄ／Ａ変換器及びライン出力回路／ヘッドホン出力回路等のアナログオーディオ信号出力部を備えている。
【００４９】
記録媒体であるミニディスク９０に対してオーディオトラックが記録される第１の経路は、オーディオデータ処理部７にデジタルオーディオデータ、又はオーディオデータ入力部５のＡ／Ｄ変換器でアナログオーディオ信号から信号変換されたデジタルオーディオ信号が入力される場合である。入力されたリニアＰＣＭデジタルオーディオデータ、或いはアナログオーディオ信号で入力された後Ａ／Ｄ変換器で変換されて得られたリニアＰＣＭオーディオデータは、ＡＴＲＡＣ圧縮エンコードされ、キャッシュメモリ１１に蓄積される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
【００５０】
また、記録媒体であるミニディスク９０に対してオーディオトラックが記録される第２の場合は、パーソナルコンピュータ１００から秘匿領域に記録されることが許可されたオーディオデータが入力された場合である。この場合、パーソナルコンピュータ１００とシステムコントローラ１２との間でＵＳＢハブ１７，ＵＳＢインターフェイス１９を介してミニディスク９０に記録されるデータがオーディオデータとして秘匿領域に記録が許可されているデータであるか否かのチェックが行われ、ミニディスク９０の秘匿領域にオーディオデータとして記録が許可されたデータであることが認識された場合、システムコントローラ１２は、メモリ転送コントローラに対してパーソナルコンピュータ１００から入力される指定されたオーディオデータがミニディスク９０の秘匿領域に記録されるように、記録再生部４に指示を与える。
【００５１】
ミニディスク９０の秘匿領域への記録が許可された場合、パーソナルコンピュータ１００は、ＵＳＢハブ１７，ＵＳＢインターフェイス１８を介してオーディオデータファイルをメモリ転送コントローラに転送し、転送されたオーディオデータファイルは、キャッシュメモリ１１に一時的に記憶される。その後、所定タイミング、例えばＡＤＩＰクラスタ相当のデータ単位でキャッシュメモリ１１から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
【００５２】
記録再生部４は、ミニディスク９０から秘匿領域に記録されたオーディオトラックを再生する場合、再生データをＡＴＲＡＣ圧縮データ状態に復調してオーディオデータ処理部７に転送する。オーディオデータ処理部７は、ミニディスク９０から再生されたＡＴＲＡＣエンコードされたオーディオデータにＡＴＲＡＣ圧縮デコードを施してリニアＰＣＭオーディオデータとし、オーディオデータ出力部６からデジタルデータとして出力する。或いは、Ｄ／Ａ変換器によりアナログ音声信号としてライン出力／ヘッドホン出力を行う。
【００５３】
なお、ＰＣ８１との接続は、ＵＳＢに限らず、例えば、ＩＥＥＥ（The Institute of Electrical and Electronics Engineers,Inc.：アメリカ電気電子技術者協会）の定める規格に準拠した、いわゆるＩＥＥＥ１３９４インターフェイスのほか、汎用の接続インターフェイスが適用できる。
【００５４】
図５には、コンテンツ記録再生装置１の外観を示す。コンテンツ記録再生装置１は、入力操作部９として、カメラとして使用するときのシャッタ９ａと、矢印キー９ｂと、ボタン９ｃ等を備えている。また、コンテンツ記録再生装置１は、表示部であるＬＣＤパネル２２を背面に備えている。正面には、画像取得部１３を構成するレンズが露呈しており、レンズカバー１３１によって保護されている。レンズカバー１３１は、レンズを保護するとともに、開閉によってカメラモードかオーディオモードかを判別するために使用される。
【００５５】
図５に示すコンテンツ記録再生装置１がカメラモードで使用されるとき、図６に示すように、ユーザは、表示部であるＬＣＤパネル２２を見下げるような格好でコンテンツ記録再生装置１を操作する頻度が高い。すなわち、上下方向が決まっている装置の画面に対して図３（ａ）に示した視線でみる場合である。また、図５に示すコンテンツ記録再生装置１がオーディオモードで使用されるときには、図７に示すように、ユーザは、表示部であるＬＣＤパネル２２を見上げる格好でコンテンツ記録再生装置１を操作する頻度が高い。すなわち、上下方向が決まっている装置の画面に対して図３（ｂ）に示した視角をなす視線でみる場合である。
【００５６】
更に、このコンテンツ記録再生装置１は、クレードル８１に装着して使用される場合もある。クレードル８１は、コンテンツ記録再生装置１を装着して静置した状態でユーザに表示部が見やすいように、ある程度の傾斜が設けられている。そのため、この場合、ユーザは、図８に示すようにＬＣＤパネル２２を見上げているのと同じになる。これは、上下方向が決まっている装置の画面に対して図３（ｂ）に示した視線でみる場合である。
【００５７】
本発明の具体例として示すコンテンツ記録再生装置１では、システムコントローラ１２が使用モードを判別し、画像処理部３の画像データ制御部１６を介して液晶表示装置１００のＬＣＤパネル２２の最適視野角を変更する処理を行う。
【００５８】
図９に、コンテンツ記録再生装置１がモードに応じてＬＣＤパネル２２の視野角を変更する処理を示す。
【００５９】
コンテンツ記録再生装置１におけるシステムコントローラ１２は、まず、ステップＳ１において、カメラモードにあるかオーディオモードにあるかを判別する。このとき、ユーザによる機器設定や、レンズカバー１３１の開閉状態に応じてモードを判別する。オーディオモードが選択された場合、ステップＳ２において、オーディオモードにおける最適視野角を得るためのＶｃｏｍ電圧値及び液晶パネルを制御するための他のパラメータをパラメータメモリ１０７から読み出し、液晶パネルの視野角特性をオーディオモードにする。
【００６０】
また、ステップＳ１でカメラモードが選択されていた場合、システムコントローラ１２は、ステップＳ３においてクレードル上に設置されているか判別する。コンテンツ記録再生装置１がクレードル８０に設置されている場合は、上述したように、画像表示状態であっても、ユーザは、図８に示すようにＬＣＤパネル２２を見上げているのと同じになる。そのため、システムコントローラ１２は、オーディオモードにおける最適視野角を得るためのＶｃｏｍ電圧値及び液晶パネルを制御するための他のパラメータをパラメータメモリ１０７から読み出し、液晶パネルの視野角特性をオーディオモードにする。
【００６１】
一方、ステップＳ３でクレードルに設置されていないことが分かった場合には、ステップＳ４において、システムコントローラ１２は、パラメータメモリからカメラモードにおける最適視野角を得るためのＶｃｏｍ電圧値及び液晶パネルを制御するための他のパラメータをパラメータメモリ１０７から読み出し、液晶パネルの視野角特性をカメラモードにする。
【００６２】
コンテンツ記録再生装置１は、以上のように、モードに応じて視野角特性を変更できる。またこれにより、装置の使用態様に応じてユーザの視線と画面との視角が異なることによる液晶表示部の視認性の低下を防止することができる。
【００６３】
上述した具体例は、本発明を説明するための一例であって、表示部として液晶表示装置を備える電子機器であれば適用できる。また、このとき視野振り方向は、機器に対して上下方向でなくともよい。例えば、左右異なる視角から表示部を眺める必要がある機器に対しては、この方向に視角変化可能なように機器本体に対して液晶表示装置１を設け、左右方向の視角変更が行えるようにしてもよい。この電子機器の使用態様或いは機能に応じて最適視野角を変更するという本発明の要旨を逸脱しない範囲で種々の変更が可能である。
【００６４】
なお、以下に、コンテンツ記録再生装置１で使用可能となるミニディスク９０の詳細について説明しておく。ミニディスク９０としては、従来の光磁気記録方式の変調方式を工夫したタイプと、従来の光磁気記録方式を採用したミニディスクの記録再生方式として通常用いられる記録フォーマットとは異なる信号方式を適用することによって秘匿性の向上と記録容量の高密度化を実現した新規タイプとがあげられる。新規タイプは、高密度記録技術及び新規ファイルシステムを適用することによって、従来のミニディスクと筐体外形及び記録再生光学系に互換性を有しつつ、記録容量の増加を実現している。
【００６５】
以下、ミニディスク９０の仕様例について説明する。まず、従来のミニディスクの仕様について説明する。
【００６６】
従来のミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーヴ（ディスク盤面上の溝）をトラックとして記録再生に用いるグルーヴ記録方式を採用している。また、アドレス方式は、ディスク盤面上にシングルスパイラルのグルーヴを形成し、このグルーヴの両側に対してアドレス情報としてのウォブル（Wobble）を形成したウォブルドグルーヴを利用する方式をとっている。なお、本明細書では、ウォブルとして記録される絶対アドレスをＡＤＩＰ（Address in Pregroove）ともいう。従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。また、データインターリーブには、畳み込み型を採用している。これにより、データの冗長度は、４６．３％となっている。また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００６７】
これに対して、本具体例で使用するミニディスク９０のうち、従来の光磁気記録方式の変調方式を変更することで記録密度の高密度化を達成したタイプ（以下、必要に応じて第１の次世代ＭＤという。）は、上述した従来のミニディスクと記録媒体の物理的仕様が同一であって、トラックピッチは、１．６μｍ、レーザ波長λは、λ＝７８０ｎｍであり、光学ヘッドの開口率は、ＮＡ＝０．４５である。記録方式としては、グルーヴ記録方式を採用している。また、アドレス方式は、ＡＤＩＰを利用する。このように、ディスクドライブ装置における光学系の構成、ＡＤＩＰアドレス読出方式、及びサーボ処理は、従来のミニディスクと同様であるため、従来ディスクとの互換性が達成されている。また、このミニディスクは、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。また、データインターリーブは、ブロック完結型としている。これによりデータの冗長度は、２０．５０％になる。また、データの検出方式は、ＰＲ（１，２，１）ＭＬによるビタビ復号方式を適用する。
【００６８】
この場合、ディスク駆動方式は、同様でＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できている。これらを総合すると、記録容量を従来ミニディスクの約２倍である３００ＭＢにすることができる。
【００６９】
また、従来の光磁気記録方式を採用したミニディスクの記録再生方式として通常用いられる記録フォーマットとは異なる信号方式を適用することによって秘匿性の向上と記録容量の高密度化を実現した新規タイプ（以下、必要に応じて、第２の次世代ＭＤという。）は、例えば、磁壁移動検出方式（ＤＷＤＤ：Domain Wall Displacement Detection）等の高密度化記録技術を適用した記録媒体であって、従来のミニディスクとは、物理フォーマットが異なっている。
【００７０】
新規タイプは、トラックピッチが１．２５μｍ、ビット長が０．１６μｍ／ｂｉｔであり、線方向に高密度化されている。また、従来ミニディスクとの互換をとるため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーヴ記録方式、アドレス方式は、ＡＤＩＰを利用した方式とする。また、筐体外形も従来ミニディスクと同一規格とされている。但し、従来ミニディスクと同等の光学系を用いて、従来ミニディスクのトラックピッチよりも狭いトラックピッチ及び線密度（ビット長）を読み取る際には、デトラックマージン、ランド及びグルーヴからのクロストーク、ウォブルのクロストーク、フォーカス漏れ、ＣＴ信号等における制約条件を解消する必要がある。
【００７１】
そのため、ミニディスク９０では、グルーヴの溝深さ、傾斜、幅等が変更されている。具体的には、グルーヴの溝深さが１６０ｎｍ〜１８０ｎｍ、傾斜が６０°〜７０°、幅が６００ｎｍ〜８００ｎｍになっている。
【００７２】
また更に、新規タイプのミニディスクでは、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００７３】
この場合のディスク駆動方式には、ＺＣＡＶ方式を用い、その線速度は、２．０ｍ／ｓとする。記録再生時の標準データレートは、９．８ＭＢ／ｓである。このように新規タイプは、ＤＷＤＤ方式及びこの駆動方式を採用することにより、総記録容量を１ＧＢ程度にできる。
【図面の簡単な説明】
【００７４】
【図１】本発明の具体例として示す液晶表示装置の構成を説明する図である。
【図２】上記液晶表示装置におけるＶｃｏｍ調整回路を説明する図である。
【図３】（ａ）は、画面を閲覧する者が画面に垂直方向（Ｚ軸）に対して視角φをなす視線からみたとき画面が鮮明にみえているように視野角を設定する場合を説明する図であり、（ｂ）は、画面に垂直方向（Ｚ軸）に対して視角−ρをなす視線からみたとき画面が鮮明にみえるように視野角を設定する場合を説明する図である。
【図４】本発明の具体例として示す液晶表示装置を適用したコンテンツ記録再生装置を説明する構成図である。
【図５】本発明の具体例として示す液晶表示装置を適用したコンテンツ記録再生装置の外観を説明する図である。（ａ）は、コンテンツ記録再生装置を背面からみた図であり、（ｂ）は、コンテンツ記録再生装置を正面からみた図である。
【図６】ユーザが表示部であるＬＣＤパネルを見下げるような格好でコンテンツ記録再生装置を操作する様子を説明する模式図である。
【図７】ユーザが表示部であるＬＣＤパネルを見上げるような格好でコンテンツ記録再生装置を操作する様子を説明する模式図である。
【図８】ユーザがクレードルに装着して使用されているときに表示部であるＬＣＤパネルをみている様子を説明する模式図である。
【図９】コンテンツ記録再生装置がモードに応じてＬＣＤパネルの視野角を変更する処理を示すフローチャートである。
【図１】
2006162707.tif 000003
【図２】
2006162707.tif 000004
【図３】
2006162707.tif 000005
【図４】
2006162707.tif 000006
【図５】
2006162707.tif 000007
【図６】
2006162707.tif 000008
【図７】
2006162707.tif 000009
【図８】
2006162707.tif 000010
【図９】
2006162707.tif 000011
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
複数の走査線及び該走査線と交差して設けられた複数の信号線を有し上記複数の走査線と上記複数の信号線との交差部分に画素電極と共通電極と液晶層とを有する画素容量が形成された液晶表示装置において、
上記共通電極に共通電極電圧を供給する共通電圧調整手段と、
所定の視野角分布を得るための共通電極電圧値を生成するためのパラメータを視野角毎に記憶する記憶手段と、
上記記憶手段に記憶されたパラメータを選択して上記共通電圧調整手段で生成される共通電極電圧を制御する制御手段と
を備えることを特徴とする液晶表示装置。
【請求項２】
複数の走査線及び該走査線と交差して設けられた複数の信号線を有し上記複数の走査線と上記複数の信号線との交差部分に画素電極と共通電極と液晶層とを有する画素容量が形成された液晶表示装置の駆動方法において、
上記共通電極に共通電極電圧を供給する共通電圧調整ステップと、
所定の視野角分布を得るための共通電極電圧値を生成するためのパラメータを視野角毎に記憶したメモリから必要なパラメータを選択して共通電圧調整ステップにおいて生成される共通電極電圧を制御するステップと
を有することを特徴とする液晶駆動方法。
【請求項３】
フォーマットが異なる複数のコンテンツデータを記録媒体から読み出す及び／又は記録媒体に書き込むことが可能なデータ記録再生装置において、
上記記録媒体からデータを再生する再生手段と、
使用者によって再生すべきコンテンツデータが選択される操作入力手段と、
再生されたコンテンツデータを表示する液晶表示手段とを備え、
上記液晶表示手段は、複数の走査線及び該走査線と交差して設けられた複数の信号線を有し上記複数の走査線と上記複数の信号線との交差部分に画素電極と共通電極と液晶層とを有する画素容量が形成され、共通電極に共通電極電圧を供給する共通電圧調整手段と、所定の視野角分布を得るための共通電極電圧値を生成するためのパラメータを視野角毎に記憶する記憶手段と、記憶手段に記憶されたパラメータを選択して上記共通電圧調整手段で生成される共通電極電圧を制御する制御手段とを備え、上記操作入力手段を介して選択された再生すべきコンテンツデータに応じて上記液晶表示手段における視野角を変更することを特徴とするデータ記録再生装置。
【請求項４】
第１の動作モードと第２の動作モードとで表示部に表示された映像を、ユーザが異なる角度から見るコンテンツ表示装置において、
上記動作モードを検出する検出手段と、
上記表示部の視野角を調整する調整手段と、
上記検出手段の検出結果に基づいて上記表示部が所定の視野角となるように上記調整手段を制御する制御手段と
を備えるコンテンツ表示装置。
【請求項５】
上記コンテンツ表示装置は、上記動作モードを設定する操作手段を備え、上記検出手段は、上記設定された動作モードを検出する第４項記載のコンテンツ表示装置。
【請求項６】
上記コンテンツ表示装置は、所定角度に上記コンテンツ表示装置を固定するクレードルとの結合手段をさらに備え、
上記検出手段は、上記クレードルに結合されたことを検出する第４項記載のコンテンツ表示装置。
【請求項７】
上記コンテンツ表示装置は、
映像を撮像する撮像手段と、
記録媒体に記録された映像を再生する再生手段と、
操作手段と
を更に備え、
上記制御手段は、上記操作手段にて撮像が指示された場合には上記撮像手段から入力される映像を上記表示部に表示されるように制御すると共に上記第１の動作モードとして第１の視野角になるように上記調整手段を制御し、上記操作手段にて記録媒体に記録された映像の再生が指示された場合には上記再生手段にて再生される映像を上記表示部に表示されるように制御すると共に上記第２の動作モードとして第２の視野角になるように上記調整手段を制御する第４項記載のコンテンツ表示装置。
【請求項８】
上記第１の動作モードは表示部を見下ろす角度であり、上記第２の動作モードは上記表示部を見上げる角度である第７項記載のコンテンツ表示装置
【手続補正３】
【補正対象書類名】明細書
【補正対象項目名】０００１
【補正方法】変更
【補正の内容】
【０００１】
本発明は、液晶装置及びその駆動方法に関し、特に使用態様に応じて視野角特性を変更できる液晶表示装置及び液晶駆動方法に関する。また、本発明は、この液晶表示装置を備えるデータ記録再生装置に関する。さらに、本発明は、視野角を変更できるコンテンツ表示装置に関する。
【手続補正４】
【補正対象書類名】明細書
【補正対象項目名】０００６
【補正方法】変更
【補正の内容】
【０００６】
そこで本発明は、再生されるコンテンツデータの種類によって機器の使用態様が異なるような電子機器において、使用態様に応じて表示部の視角特性を切り換えることによって、視野角調整のための複雑な物理的構成を用いることなく、使用態様に合った視野角とコントラスト調整が可能な液晶表示装置、液晶駆動方法、及びこのような液晶表示装置を備えるデータ記録再生装置、並びにコンテンツ表示装置を提供することを目的とする。
【手続補正５】
【補正対象書類名】明細書
【補正対象項目名】０００９
【補正方法】変更
【補正の内容】
【０００９】
更にまた、本発明に係るデータ記録再生装置は、フォーマットが異なる複数のコンテンツデータを記録媒体から読み出す及び／又は記録媒体に書き込むことが可能なデータ記録再生装置において、記録媒体からデータを再生する再生手段と、使用者によって再生すべきコンテンツデータが選択される操作入力手段と、再生されたコンテンツデータを表示する液晶表示手段とを備え、液晶表示手段は、複数の走査線及び該走査線と交差して設けられた複数の信号線を有し複数の走査線と複数の信号線との交差部分に画素電極と共通電極と液晶層とを有する画素容量が形成され、共通電極に共通電極電圧を供給する共通電圧調整手段と、所定の視野角分布を得るための共通電極電圧値を生成するためのパラメータを視野角毎に記憶する記憶手段と、記憶手段に記憶されたパラメータを選択して共通電圧調整手段で生成される共通電極電圧を制御する制御手段とを備え、操作入力手段を介して選択された再生すべきコンテンツデータに応じて液晶表示手段における視野角を変更することにより、上述した目的を達成する。
また、本発明に係るコンテンツ表示装置は、第１の動作モードと第２の動作モードとで表示部に表示された映像を、ユーザが異なる角度からみるコンテンツ表示装置において、動作モードを検出する検出手段と、表示部の視野角を調整する調整手段と、検出手段の検出結果に基づいて表示部が所定の視野角となるように調整手段を制御する制御手段とを備える。